(57)【要約】【課題】    従来の連結可能な蓋体のアイデアでは、蓋体同士の嵌合部における摩擦力等による抜き差しに必要な力と、蓋体及び筆記具本体端部における摩擦力等による抜き差しに必要な力と、の設計時の配分や製造時のばらつき等によって、蓋体から筆記具本体を抜こうとして蓋体同士の嵌合部が抜けてしまう、又は蓋体同士の嵌合を抜こうとして蓋体から筆記具本体が抜けてしまう、というような問題が頻繁に発生することが考えられる。【解決手段】  蓋体（２,２０）に筆記具本体（１）を挿入する方向と、蓋体（２）及び（２０）を嵌合させる方向が異なるようにする。【選択図】          図１
2008273071.tif 000002
【特許請求の範囲】
【請求項１】
筆記具本体端部が挿入自在である蓋体であって、
前記蓋体は、一端部に前記筆記具本体端部が挿入される挿入口と、中間部又は他端部に嵌合部と、を備え、
前記嵌合部に対して前記蓋体と同一形状の蓋体の嵌合部を嵌合可能であり、
前記挿入方向と前記嵌合方向は異なる、
筆記具の蓋体。
【請求項２】
前記挿入方向と前記嵌合方向は略垂直である、
請求項１に記載の筆記具の蓋体。
【請求項３】
前記挿入方向と、前記蓋体と同一形状の蓋体に対する筆記具本体端部の挿入方向が異なるように、前記嵌合部に対して前記同一形状の蓋体の嵌合部を嵌合可能である、
請求項１から請求項２のいずれかに記載の筆記具の蓋体。
【発明の詳細な説明】
【技術分野】
【０００１】
本発明は、筆記具本体端部が挿入される蓋体に関する。
【背景技術】
【０００２】
棒状の筆記具本体端部が挿入される蓋体においては、特許文献１又は２のように同一形状の複数の蓋体を連結可能とする為に、蓋体の筒状部の中心軸線に沿う方向すなわち筆記具本体端部の挿入方向に対して平行な方向に互いに嵌合自在とし、嵌合部の嵌合形状がクリップを兼ねるようなアイデアが知られている。
【０００３】
【特許文献１】実開昭５７−０８６３７９号公報
【特許文献２】特開２００６−３０５８２９号公報
【発明の開示】
【発明が解決しようとする課題】
【０００４】
例えば色々な種類の筆記具を使い分けて作業をしている際に蓋体の抜き差しを頻繁に行うことが多い。ここで蓋体は筆記具本体に比べてサイズが小さくて握りにくいことが多く、手が滑って蓋体を外しにくいものが多い。
また、従来の連結可能な蓋体のアイデアでは、蓋体同士の嵌合部における摩擦力等による抜き差しに必要な力と、蓋体及び筆記具本体端部における摩擦力等による抜き差しに必要な力と、の設計時の配分や製造時のばらつき等によって、蓋体から筆記具本体を抜こうとして蓋体同士の嵌合部が抜けてしまう、又は蓋体同士の嵌合を抜こうとして蓋体から筆記具本体が抜けてしまう、というような問題が頻繁に発生することが考えられる。
【０００５】
更なる問題点としては、複数の筆記具が連結されている場合に、隣り合う筆記具本体同士が邪魔をして選択的に一本だけ抜くのが困難となることが考えられる。
【課題を解決するための手段】
【０００６】
本発明の実施形態図等を用いて以下に説明するが、これは本発明の内容をより把握しやすいようにする為で、添付の特許請求の範囲を縮小するものではない。
【０００７】
発明１に係る筆記具の蓋体は、例えば図１と、図２から図８のいずれかのように、
筆記具本体１端部３が挿入自在である蓋体２であって、
蓋体２は、一端部に筆記具本体１端部３が挿入される挿入口４と、中間部又は他端部に嵌合部５と、を備え、
嵌合部５に対して蓋体２と同一形状の蓋体２０の嵌合部５を嵌合可能であり、
前記挿入方向と前記嵌合方向は異なる、
筆記具の蓋体である。
尚、前記挿入方向とは例えば図１では蓋体２の筒状部６の中心軸線９に沿うようにペン先８が蓋体２に挿入される方向であり、前記嵌合方向とは例えば図１の上図では図１の紙面に垂直な方向である。
【０００８】
また、筆記具とは鉛筆、芯を送り出すタイプの鉛筆、フェルトペン、万年筆、ボールペン、修正ペン、芯を送り出すタイプの消しゴム、等を表す。
【０００９】
発明２に係る筆記具の蓋体は、発明１の筆記具の蓋体において、例えば図１と、図２から図８のいずれかのように、
前記挿入方向と前記嵌合方向は略垂直である、
筆記具の蓋体である。
【００１０】
発明３に係る筆記具の蓋体は、発明１から２のいずれかの筆記具の蓋体において、例えば図２、３、４、６、７、及び８のいずれかのように、
前記挿入方向と、蓋体２と同一形状の蓋体２０に対する筆記具本体１端部３の挿入方向が異なるように、蓋体２の嵌合部５に対して蓋体２０の嵌合部５を嵌合可能である、
筆記具の蓋体である。
【発明の効果】
【００１１】
以上のように本発明では、例えば二本の筆記具を使い分けて作業している際に蓋体２及び２０を連結させて蓋体全体としてのサイズを大きくして握りやすく出来、且つ筆記具本体１の挿入方向と嵌合部５同士の嵌合方向が異なることによって素早く簡便に作業を進めることが出来る。
【００１２】
また、発明３では、本発明の効果に加えて、連結された筆記具の隣り合う筆記具本体１同士が邪魔をして選択的に一本だけ抜くのが困難となりにくいように嵌合部５同士を嵌合可能となる。
【発明を実施するための最良の形態】
【００１３】
〔第１実施形態〕
図１において、棒状の筆記具本体１端部３は、ポリアセタール一体成型製の蓋体２の一端部の筒状部６開口端の挿入口４から筒状部６の中心軸線９に沿うように挿入されて筒状部６の内周の嵌合形状７に僅かな摩擦力を伴って抜き差し自在に嵌合されている。このような嵌合状態では、フェルトペンである筆記具本体１のペン先８は密閉状態を確保されており、インクの揮発を防ぐことが出来る。
また、蓋体２の他端部の嵌合部５には、先端が膨らんだキノコ形の一部を押出したような凸状の嵌合形状１０と、先端が膨らんだキノコ形を押出したような凸状の嵌合形状１２、１４、１６、及び１８と、嵌合形状１０及び１２の間、１２及び１４の間、１４及び１６の間、及び１６及び１８の間にそれぞれ凹状の嵌合形状１１、１３、１５、及び１７が備えられている。これら嵌合形状１０から１８は順に約３０度刻みで放射状に配置されている。
【００１４】
図２は、蓋体２の嵌合形状１３に蓋体２と同一形状の蓋体２０の嵌合形状１８が嵌め込まれて、蓋体２の嵌合形状１２及び１４の根元に蓋体２０の嵌合形状１８の膨らんだ部分が挟まれるように嵌合されており、嵌合を抜く場合は蓋体２及び２０の一方を固定して他方を図２の紙面に垂直な方向に移動させればよい。
【００１５】
図３は、蓋体２の嵌合形状１５に蓋体２と同一形状の蓋体２０の嵌合形状１８が嵌め込まれて、蓋体２の嵌合形状１４及び１６の根元に蓋体２０の嵌合形状１８の膨らんだ部分が挟まれるように嵌合されており、嵌合を抜く場合は蓋体２及び２０の一方を固定して他方を図３の紙面に垂直な方向に移動させればよい。
【００１６】
図４は、蓋体２の嵌合形状１７に蓋体２と同一形状の蓋体２０の嵌合形状１８が嵌め込まれて、蓋体２の嵌合形状１６及び１８の根元に蓋体２０の嵌合形状１８の膨らんだ部分が挟まれるように嵌合されており、嵌合を抜く場合は蓋体２及び２０の一方を固定して他方を図４の紙面に垂直な方向に移動させればよい。
【００１７】
図５は、蓋体２と同一形状の蓋体２０を中心軸線９中心に１８０度回転させてから、蓋体２の嵌合形状１１に蓋体２０の嵌合形状１２が嵌め込まれて、蓋体２の嵌合形状１０及び１２の根元に蓋体２０の嵌合形状１２の膨らんだ部分が挟まれるように嵌合されており、嵌合を抜く場合は蓋体２及び２０の一方を固定して他方を図５の紙面に垂直な方向に移動させればよい。
【００１８】
図６は、蓋体２と同一形状の蓋体２０を中心軸線９中心に１８０度回転させてから、蓋体２の嵌合形状１３に蓋体２０の嵌合形状１２が嵌め込まれて、蓋体２の嵌合形状１２及び１４の根元に蓋体２０の嵌合形状１２の膨らんだ部分が挟まれるように嵌合されており、嵌合を抜く場合は蓋体２及び２０の一方を固定して他方を図６の紙面に垂直な方向に移動させればよい。
【００１９】
図７は、蓋体２と同一形状の蓋体２０を中心軸線９中心に１８０度回転させてから、蓋体２の嵌合形状１５に蓋体２０の嵌合形状１２が嵌め込まれて、蓋体２の嵌合形状１４及び１６の根元に蓋体２０の嵌合形状１２の膨らんだ部分が挟まれるように嵌合されており、嵌合を抜く場合は蓋体２及び２０の一方を固定して他方を図７の紙面に垂直な方向に移動させればよい。
【００２０】
図８は、蓋体２と同一形状の蓋体２０を中心軸線９中心に１８０度回転させてから、蓋体２の嵌合形状１７に蓋体２０の嵌合形状１２が嵌め込まれて、蓋体２の嵌合形状１６及び１８の根元に蓋体２０の嵌合形状１２の膨らんだ部分が挟まれるように嵌合されており、嵌合を抜く場合は蓋体２及び２０の一方を固定して他方を図８の紙面に垂直な方向に移動させればよい。
【００２１】
図２から８において、蓋体２及び２０の筆記具本体１挿入方向の違いはそれぞれ約３０度、約９０度、約１５０度、約０度、約６０度、約１２０度、及び約１８０度である。
【００２２】
図２から８の嵌合形状の組み合わせ以外にも組み合わせは有り、また三個以上の蓋体を連結出来ることは当業者には明らかであるので記載は省略する。
【００２３】
〔その他の実施形態〕
第１実施形態において、嵌合部５の嵌合形状１４及び１５を削除する等によって蓋体２及び２０それぞれの中間部に嵌合部５を移動させた構成や、中間部から他端部にかけてさらに嵌合形状の増えた嵌合部５の構成が考えられる。
【図面の簡単な説明】
【００２４】
【図１】筆記具本体１が挿入された第１実施形態を第三角法で表す破断面図
【図２】第１実施形態の蓋体２及び２０の嵌合例その１
【図３】第１実施形態の蓋体２及び２０の嵌合例その２
【図４】第１実施形態の蓋体２及び２０の嵌合例その３
【図５】第１実施形態の蓋体２及び２０の嵌合例その４
【図６】第１実施形態の蓋体２及び２０の嵌合例その５
【図７】第１実施形態の蓋体２及び２０の嵌合例その６
【図８】第１実施形態の蓋体２及び２０の嵌合例その７
【符号の説明】
【００２５】
１.                                                    筆記具本体
２,２０.                             蓋体
３.                                                    端部
４.                                                    挿入口
５.                                                    嵌合部
６.                                                    筒状部
７,１０,１１,１２,１３,１４,
１５,１６,１７,１８.                       嵌合形状
８.                                                    ペン先
９.                                                    中心軸線
１９.                                                当たり
【図１】
2008273071.tif 000003
【図２】
2008273071.tif 000004
【図３】
2008273071.tif 000005
【図４】
2008273071.tif 000006
【図５】
2008273071.tif 000007
【図６】
2008273071.tif 000008
【図７】
2008273071.tif 000009
【図８】
2008273071.tif 000010
【手続補正書】
【提出日】平成19年5月29日(2007.5.29)
【手続補正１】
【補正対象書類名】特許請求の範囲
【補正対象項目名】全文
【補正方法】変更
【補正の内容】
【特許請求の範囲】
【請求項１】
筆記具本体端部が第１方向に挿入自在である蓋体であって、
前記蓋体は、一端部に前記筆記具本体端部が挿入される挿入口と、中間部又は他端部に先端が膨らんだ凸状の第１嵌合形状及び前記第１嵌合形状の根元に繋がるように配置される凹状の第２嵌合形状を有する嵌合部と、を備え、
前記蓋体と同一形状の蓋体に備えられ前記第１嵌合形状と同一形状である第３嵌合形状の根元から先端に向かう第２方向に対して略垂直且つ前記第１方向に対して略垂直な第３方向に前記第３嵌合形状を移動させて前記第２嵌合形状に嵌合可能である、
筆記具の蓋体。
【請求項２】
前記蓋体における前記第１嵌合形状の位置と、前記蓋体と同一形状の蓋体における前記第３嵌合形状の位置は同一である、
請求項１に記載の筆記具の蓋体。
【請求項３】
前記第３方向に前記第３嵌合形状を移動させて前記第２嵌合形状に嵌合させた状態において、前記第１方向と、前記蓋体と同一形状の蓋体に対する筆記具本体端部の挿入方向が異なる、
請求項１から請求項２のいずれかに記載の筆記具の蓋体。
【手続補正２】
【補正対象書類名】明細書
【補正対象項目名】全文
【補正方法】変更
【補正の内容】
【発明の詳細な説明】
【技術分野】
【０００１】
本発明は、筆記具本体端部が挿入される蓋体に関する。
【背景技術】
【０００２】
棒状の筆記具本体端部が挿入される蓋体においては、特許文献１又は２のように同一形状の複数の蓋体を連結可能とする為に、蓋体の筒状部の中心軸線に沿う方向すなわち筆記具本体端部の挿入方向に対して平行な方向に互いに嵌合自在とし、嵌合部の嵌合形状がクリップを兼ねるようなアイデアが知られている。
【０００３】
【特許文献１】実開昭５７−０８６３７９号公報
【特許文献２】特開２００６−３０５８２９号公報
【発明の開示】
【発明が解決しようとする課題】
【０００４】
例えば色々な種類の筆記具を使い分けて作業をしている際に蓋体の抜き差しを頻繁に行うことが多い。ここで蓋体は筆記具本体に比べてサイズが小さくて握りにくいことが多く、手が滑って蓋体を外しにくいものが多い。
また、従来の連結可能な蓋体のアイデアでは、蓋体同士の嵌合部における摩擦力等による抜き差しに必要な力と、蓋体及び筆記具本体端部における摩擦力等による抜き差しに必要な力と、の設計時の配分や製造時のばらつき等によって、蓋体から筆記具本体を抜こうとして蓋体同士の嵌合部が抜けてしまう、又は蓋体同士の嵌合を抜こうとして蓋体から筆記具本体が抜けてしまう、というような問題が頻繁に発生することが考えられる。
【０００５】
更なる問題点としては、複数の筆記具が連結されている場合に、隣り合う筆記具本体同士が邪魔をして選択的に一本だけ抜くのが困難となることが考えられる。
【課題を解決するための手段】
【０００６】
本発明の実施形態図等を用いて以下に説明するが、これは本発明の内容をより把握しやすいようにする為で、添付の特許請求の範囲を縮小するものではない。
【０００７】
発明１に係る筆記具の蓋体は、図１と、図２、５及び６のいずれかを用いて説明できるが、例えば図１及び２で説明すると、
筆記具本体１端部３が第１方向に挿入自在である蓋体２であって、
蓋体２は、一端部に筆記具本体１端部３が挿入される挿入口４と、中間部又は他端部に先端が膨らんだ凸状の嵌合形状１２及び嵌合形状１２の根元に繋がるように配置される凹状の嵌合形状１３を有する嵌合部５と、を備え、
蓋体２と同一形状の蓋体２０に備えられ蓋体２の嵌合形状１２と同一形状である蓋体２０の嵌合形状１８の根元から先端に向かう第２方向に対して略垂直且つ前記第１方向に対して略垂直な第３方向に蓋体２０の嵌合形状１８を移動させて蓋体２の嵌合形状１３に嵌合可能である、筆記具の蓋体である。
また、例えば図１及び５で説明すると、
筆記具本体１端部３が第１方向に挿入自在である蓋体２であって、
蓋体２は、一端部に筆記具本体１端部３が挿入される挿入口４と、中間部又は他端部に先端が膨らんだ凸状の嵌合形状１２及び嵌合形状１２の根元に繋がるように配置される凹状の嵌合形状１１を有する嵌合部５と、を備え、
蓋体２と同一形状の蓋体２０に備えられ蓋体２の嵌合形状１２と同一形状である蓋体２０の嵌合形状１２の根元から先端に向かう第２方向に対して略垂直且つ前記第１方向に対して略垂直な第３方向に蓋体２０の嵌合形状１２を移動させて蓋体２の嵌合形状１１に嵌合可能である、筆記具の蓋体である。
また、例えば図１及び６で説明すると、
筆記具本体１端部３が第１方向に挿入自在である蓋体２であって、
蓋体２は、一端部に筆記具本体１端部３が挿入される挿入口４と、中間部又は他端部に先端が膨らんだ凸状の嵌合形状１２及び嵌合形状１２の根元に繋がるように配置される凹状の嵌合形状１３を有する嵌合部５と、を備え、
蓋体２と同一形状の蓋体２０に備えられ蓋体２の嵌合形状１２と同一形状である蓋体２０の嵌合形状１２の根元から先端に向かう第２方向に対して略垂直且つ前記第１方向に対して略垂直な第３方向に蓋体２０の嵌合形状１２を移動させて蓋体２の嵌合形状１３に嵌合可能である、筆記具の蓋体である。
尚、前記第１方向とは例えば図１では蓋体２の筒状部６の中心軸線９に沿うようにペン先８が蓋体２に挿入される方向であり、前記第３方向とは例えば図１の上図では図１の紙面に垂直な方向である。
【０００８】
また、筆記具とは鉛筆、芯を送り出すタイプの鉛筆、フェルトペン、万年筆、ボールペン、修正ペン、芯を送り出すタイプの消しゴム、等を表す。
【０００９】
発明２に係る筆記具の蓋体は、発明１の筆記具の蓋体において、図１と、図５又は６を用いて説明すると、
蓋体２における嵌合形状１２の位置と、蓋体２０における嵌合形状１２の位置は同一である、
筆記具の蓋体である。
【００１０】
発明３に係る筆記具の蓋体は、発明１から２のいずれかの筆記具の蓋体において、図１と、図２又は６を用いて説明できるが、例えば図１及び６で説明すると、
前記第３方向に蓋体２０の嵌合形状１２を移動させて蓋体２の嵌合形状１３に嵌合させた状態において、前記第１方向と、蓋体２０に対する筆記具本体端部の挿入方向が異なる、
筆記具の蓋体である。
【発明の効果】
【００１１】
以上のように本発明では、例えば二本の筆記具を使い分けて作業している際に蓋体２及び２０を連結させて蓋体全体としてのサイズを大きくして握りやすく出来、且つ筆記具本体１の挿入方向と嵌合部５同士の嵌合方向が異なることによって素早く簡便に作業を進めることが出来る。
【００１２】
また、発明３では、本発明の効果に加えて、連結された筆記具の隣り合う筆記具本体１同士が邪魔をして選択的に一本だけ抜くのが困難となりにくいように嵌合部５同士を嵌合可能となる。
【発明を実施するための最良の形態】
【００１３】
〔第１実施形態〕
図１において、棒状の筆記具本体１端部３は、ポリアセタール一体成型製の蓋体２の一端部の筒状部６開口端の挿入口４から筒状部６の中心軸線９に沿うように挿入されて筒状部６の内周の嵌合形状７に僅かな摩擦力を伴って抜き差し自在に嵌合されている。このような嵌合状態では、フェルトペンである筆記具本体１のペン先８は密閉状態を確保されており、インクの揮発を防ぐことが出来る。
また、蓋体２の他端部の嵌合部５には、先端が膨らんだキノコ形の一部を押出したような凸状の嵌合形状１０と、先端が膨らんだキノコ形を押出したような凸状の嵌合形状１２、１４、１６、及び１８と、嵌合形状１０及び１２の間、１２及び１４の間、１４及び１６の間、及び１６及び１８の間にそれぞれ凹状の嵌合形状１１、１３、１５、及び１７が備えられている。これら嵌合形状１０から１８は順に約３０度刻みで放射状に配置されている。
【００１４】
図２は、蓋体２の嵌合形状１３に蓋体２と同一形状の蓋体２０の嵌合形状１８が嵌め込まれて、蓋体２の嵌合形状１２及び１４の根元に蓋体２０の嵌合形状１８の膨らんだ部分が挟まれるように嵌合されており、嵌合を抜く場合は蓋体２及び２０の一方を固定して他方を図２の紙面に垂直な方向に移動させればよい。
【００１５】
図３は、蓋体２の嵌合形状１５に蓋体２と同一形状の蓋体２０の嵌合形状１８が嵌め込まれて、蓋体２の嵌合形状１４及び１６の根元に蓋体２０の嵌合形状１８の膨らんだ部分が挟まれるように嵌合されており、嵌合を抜く場合は蓋体２及び２０の一方を固定して他方を図３の紙面に垂直な方向に移動させればよい。
【００１６】
図４は、蓋体２の嵌合形状１７に蓋体２と同一形状の蓋体２０の嵌合形状１８が嵌め込まれて、蓋体２の嵌合形状１６及び１８の根元に蓋体２０の嵌合形状１８の膨らんだ部分が挟まれるように嵌合されており、嵌合を抜く場合は蓋体２及び２０の一方を固定して他方を図４の紙面に垂直な方向に移動させればよい。
【００１７】
図５は、蓋体２と同一形状の蓋体２０を中心軸線９中心に１８０度回転させてから、蓋体２の嵌合形状１１に蓋体２０の嵌合形状１２が嵌め込まれて、蓋体２の嵌合形状１０及び１２の根元に蓋体２０の嵌合形状１２の膨らんだ部分が挟まれるように嵌合されており、嵌合を抜く場合は蓋体２及び２０の一方を固定して他方を図５の紙面に垂直な方向に移動させればよい。
【００１８】
図６は、蓋体２と同一形状の蓋体２０を中心軸線９中心に１８０度回転させてから、蓋体２の嵌合形状１３に蓋体２０の嵌合形状１２が嵌め込まれて、蓋体２の嵌合形状１２及び１４の根元に蓋体２０の嵌合形状１２の膨らんだ部分が挟まれるように嵌合されており、嵌合を抜く場合は蓋体２及び２０の一方を固定して他方を図６の紙面に垂直な方向に移動させればよい。
【００１９】
図７は、蓋体２と同一形状の蓋体２０を中心軸線９中心に１８０度回転させてから、蓋体２の嵌合形状１５に蓋体２０の嵌合形状１２が嵌め込まれて、蓋体２の嵌合形状１４及び１６の根元に蓋体２０の嵌合形状１２の膨らんだ部分が挟まれるように嵌合されており、嵌合を抜く場合は蓋体２及び２０の一方を固定して他方を図７の紙面に垂直な方向に移動させればよい。
【００２０】
図８は、蓋体２と同一形状の蓋体２０を中心軸線９中心に１８０度回転させてから、蓋体２の嵌合形状１７に蓋体２０の嵌合形状１２が嵌め込まれて、蓋体２の嵌合形状１６及び１８の根元に蓋体２０の嵌合形状１２の膨らんだ部分が挟まれるように嵌合されており、嵌合を抜く場合は蓋体２及び２０の一方を固定して他方を図８の紙面に垂直な方向に移動させればよい。
【００２１】
図２から８において、蓋体２及び２０の筆記具本体１挿入方向の違いはそれぞれ約３０度、約９０度、約１５０度、約０度、約６０度、約１２０度、及び約１８０度である。
【００２２】
図２から８の嵌合形状の組み合わせ以外にも組み合わせは有り、また三個以上の蓋体を連結出来ることは当業者には明らかであるので記載は省略する。
【００２３】
〔その他の実施形態〕
第１実施形態において、嵌合部５の嵌合形状１４及び１５を削除する等によって蓋体２及び２０それぞれの中間部に嵌合部５を移動させた構成や、中間部から他端部にかけてさらに嵌合形状の増えた嵌合部５の構成が考えられる。
【図面の簡単な説明】
【００２４】
【図１】筆記具本体１が挿入された第１実施形態を第三角法で表す破断面図
【図２】第１実施形態の蓋体２及び２０の嵌合例その１
【図３】第１実施形態の蓋体２及び２０の嵌合例その２
【図４】第１実施形態の蓋体２及び２０の嵌合例その３
【図５】第１実施形態の蓋体２及び２０の嵌合例その４
【図６】第１実施形態の蓋体２及び２０の嵌合例その５
【図７】第１実施形態の蓋体２及び２０の嵌合例その６
【図８】第１実施形態の蓋体２及び２０の嵌合例その７
【符号の説明】
【００２５】
１.                                                    筆記具本体
２,２０.                              蓋体
３.                                                    端部
４.                                                    挿入口
５.                                                    嵌合部
６.                                                    筒状部
７,１０,１１,１２,１３,１４,
１５,１６,１７,１８.                       嵌合形状
８.                                                    ペン先
９.                                                    中心軸線
１９.                                                 当たり
【手続補正書】
【提出日】平成19年6月26日(2007.6.26)
【手続補正１】
【補正対象書類名】特許請求の範囲
【補正対象項目名】全文
【補正方法】変更
【補正の内容】
【特許請求の範囲】
【請求項１】
筆記具本体端部が挿入自在である蓋体であって、
前記蓋体は、一端部に前記筆記具本体端部が挿入される挿入口と、中間部又は他端部に先端が膨らんだ凸状の第１嵌合形状、凹状の第２嵌合形状、凸状の第３嵌合形状の順に平面放射状に、且つ前記第２嵌合形状が前記第１嵌合形状の根元及び前記第３嵌合形状を繋げるように配置し、且つ前記平面に対して略垂直な方向にそれぞれ延びるように形成した嵌合部と、を備え、
前記蓋体と同一形状の蓋体に備えられ前記第１嵌合形状と同一形状である第４嵌合形状を前記方向に移動させて前記第２嵌合形状に嵌合可能である、
筆記具の蓋体。
【請求項２】
前記蓋体における前記第１嵌合形状の位置と、前記蓋体と同一形状の蓋体における前記第４嵌合形状の位置は同一である、
請求項１に記載の筆記具の蓋体。
【請求項３】
前記第４嵌合形状を前記第２嵌合形状に嵌合させた状態において、前記蓋体に対する筆記具本体端部の挿入方向と、前記蓋体と同一形状の蓋体に対する筆記具本体端部の挿入方向が異なる、
請求項１から請求項２のいずれかに記載の筆記具の蓋体。
【手続補正２】
【補正対象書類名】明細書
【補正対象項目名】全文
【補正方法】変更
【補正の内容】
【発明の詳細な説明】
【技術分野】
【０００１】
本発明は、筆記具本体端部が挿入される蓋体に関する。
【背景技術】
【０００２】
棒状の筆記具本体端部が挿入される蓋体においては、特許文献１又は２のように同一形状の複数の蓋体を連結可能とする為に、蓋体の筒状部の中心軸線に沿う方向すなわち筆記具本体端部の挿入方向に対して平行な方向に互いに嵌合自在とし、嵌合部の嵌合形状がクリップを兼ねるようなアイデアが知られている。
【０００３】
【特許文献１】実開昭５７−０８６３７９号公報
【特許文献２】特開２００６−３０５８２９号公報
【発明の開示】
【発明が解決しようとする課題】
【０００４】
例えば色々な種類の筆記具を使い分けて作業をしている際に蓋体の抜き差しを頻繁に行うことが多い。ここで蓋体は筆記具本体に比べてサイズが小さくて握りにくいことが多く、手が滑って蓋体を外しにくいものが多い。
また、従来の連結可能な蓋体のアイデアでは、蓋体同士の嵌合部における摩擦力等による抜き差しに必要な力と、蓋体及び筆記具本体端部における摩擦力等による抜き差しに必要な力と、の設計時の配分や製造時のばらつき等によって、蓋体から筆記具本体を抜こうとして蓋体同士の嵌合部が抜けてしまう、又は蓋体同士の嵌合を抜こうとして蓋体から筆記具本体が抜けてしまう、というような問題が頻繁に発生することが考えられる。
【０００５】
更なる問題点としては、複数の筆記具が連結されている場合に、隣り合う筆記具本体同士が邪魔をして選択的に一本だけ抜くのが困難となることが考えられる。
【課題を解決するための手段】
【０００６】
本発明の実施形態図等を用いて以下に説明するが、これは本発明の内容をより把握しやすいようにする為で、添付の特許請求の範囲を縮小するものではない。
【０００７】
発明１に係る筆記具の蓋体は、図１と、図２、５及び６のいずれかを用いて説明できるが、例えば図１及び２で説明すると、
筆記具本体１端部３が挿入自在である蓋体２であって、
蓋体２は、一端部に筆記具本体１端部３が挿入される挿入口４と、中間部又は他端部に先端が膨らんだ凸状の嵌合形状１２、凹状の嵌合形状１３、凸状の嵌合形状１４の順に平面放射状に、且つ嵌合形状１３が嵌合形状１２の根元及び嵌合形状１４を繋げるように配置し、且つ前記平面に対して略垂直な方向にそれぞれ延びるように形成した嵌合部５と、を備え、
蓋体２と同一形状の蓋体２０に備えられ蓋体２の嵌合形状１２と同一形状である蓋体２０の嵌合形状１８を前記方向に移動させて蓋体２の嵌合形状１３に嵌合可能である、筆記具の蓋体である。
また、例えば図１及び５で説明すると、
筆記具本体１端部３が挿入自在である蓋体２であって、
蓋体２は、一端部に筆記具本体１端部３が挿入される挿入口４と、中間部又は他端部に先端が膨らんだ凸状の嵌合形状１２、凹状の嵌合形状１１、凸状の嵌合形状１０の順に平面放射状に、且つ嵌合形状１１が嵌合形状１２の根元及び嵌合形状１０を繋げるように配置し、且つ前記平面に対して略垂直な方向にそれぞれ延びるように形成した嵌合部５と、を備え、
蓋体２と同一形状の蓋体２０に備えられ蓋体２の嵌合形状１２と同一形状である蓋体２０の嵌合形状１２を前記方向に移動させて蓋体２の嵌合形状１１に嵌合可能である、筆記具の蓋体である。
また、例えば図１及び６で説明すると、
筆記具本体１端部３が挿入自在である蓋体２であって、
蓋体２は、一端部に筆記具本体１端部３が挿入される挿入口４と、中間部又は他端部に先端が膨らんだ凸状の嵌合形状１２、凹状の嵌合形状１３、凸状の嵌合形状１４の順に平面放射状に、且つ嵌合形状１３が嵌合形状１２の根元及び嵌合形状１４を繋げるように配置し、且つ前記平面に対して略垂直な方向にそれぞれ延びるように形成した嵌合部５と、を備え、
蓋体２と同一形状の蓋体２０に備えられ蓋体２の嵌合形状１２と同一形状である蓋体２０の嵌合形状１２を前記方向に移動させて蓋体２の嵌合形状１３に嵌合可能である、筆記具の蓋体である。
【０００８】
また、筆記具とは鉛筆、芯を送り出すタイプの鉛筆、フェルトペン、万年筆、ボールペン、修正ペン、芯を送り出すタイプの消しゴム、等を表す。
【０００９】
発明２に係る筆記具の蓋体は、発明１の筆記具の蓋体において、図１と、図５又は６を用いて説明すると、
蓋体２における嵌合形状１２の位置と、蓋体２０における嵌合形状１２の位置は同一である、
筆記具の蓋体である。
【００１０】
発明３に係る筆記具の蓋体は、発明１から２のいずれかの筆記具の蓋体において、図１と、図２又は６を用いて説明できるが、例えば図１及び６で説明すると、
蓋体２０の嵌合形状１２を蓋体２の嵌合形状１３に嵌合させた状態において、蓋体２に対する筆記具本体１端部３の挿入方向と、蓋体２０に対する筆記具本体１端部３の挿入方向が異なる、
筆記具の蓋体である。
【発明の効果】
【００１１】
以上のように本発明では、例えば二本の筆記具を使い分けて作業している際に蓋体２及び２０を連結させて蓋体全体としてのサイズを大きくして握りやすく出来、且つ筆記具本体１の挿入方向と嵌合部５同士の嵌合方向が異なることによって素早く簡便に作業を進めることが出来る。
【００１２】
また、発明３では、本発明の効果に加えて、連結された筆記具の隣り合う筆記具本体１同士が邪魔をして選択的に一本だけ抜くのが困難となりにくいように嵌合部５同士を嵌合可能となる。
【発明を実施するための最良の形態】
【００１３】
〔第１実施形態〕
図１において、棒状の筆記具本体１端部３は、ポリアセタール一体成型製の蓋体２の一端部の筒状部６開口端の挿入口４から筒状部６の中心軸線９に沿うように挿入されて筒状部６の内周の嵌合形状７に僅かな摩擦力を伴って抜き差し自在に嵌合されている。このような嵌合状態では、フェルトペンである筆記具本体１のペン先８は密閉状態を確保されており、インクの揮発を防ぐことが出来る。
また、蓋体２の他端部の嵌合部５には、先端が膨らんだキノコ形の一部を押出したような凸状の嵌合形状１０と、先端が膨らんだキノコ形を押出したような凸状の嵌合形状１２、１４、１６、及び１８と、嵌合形状１０及び１２の間、１２及び１４の間、１４及び１６の間、及び１６及び１８の間にそれぞれ凹状の嵌合形状１１、１３、１５、及び１７が備えられている。これら嵌合形状１０から１８は順に約３０度刻みで放射状に配置されている。
【００１４】
図２は、蓋体２の嵌合形状１３に蓋体２と同一形状の蓋体２０の嵌合形状１８が嵌め込まれて、蓋体２の嵌合形状１２及び１４の根元に蓋体２０の嵌合形状１８の膨らんだ部分が挟まれるように嵌合されており、嵌合を抜く場合は蓋体２及び２０の一方を固定して他方を図２の紙面に垂直な方向に移動させればよい。
【００１５】
図３は、蓋体２の嵌合形状１５に蓋体２と同一形状の蓋体２０の嵌合形状１８が嵌め込まれて、蓋体２の嵌合形状１４及び１６の根元に蓋体２０の嵌合形状１８の膨らんだ部分が挟まれるように嵌合されており、嵌合を抜く場合は蓋体２及び２０の一方を固定して他方を図３の紙面に垂直な方向に移動させればよい。
【００１６】
図４は、蓋体２の嵌合形状１７に蓋体２と同一形状の蓋体２０の嵌合形状１８が嵌め込まれて、蓋体２の嵌合形状１６及び１８の根元に蓋体２０の嵌合形状１８の膨らんだ部分が挟まれるように嵌合されており、嵌合を抜く場合は蓋体２及び２０の一方を固定して他方を図４の紙面に垂直な方向に移動させればよい。
【００１７】
図５は、蓋体２と同一形状の蓋体２０を中心軸線９中心に１８０度回転させてから、蓋体２の嵌合形状１１に蓋体２０の嵌合形状１２が嵌め込まれて、蓋体２の嵌合形状１０及び１２の根元に蓋体２０の嵌合形状１２の膨らんだ部分が挟まれるように嵌合されており、嵌合を抜く場合は蓋体２及び２０の一方を固定して他方を図５の紙面に垂直な方向に移動させればよい。
【００１８】
図６は、蓋体２と同一形状の蓋体２０を中心軸線９中心に１８０度回転させてから、蓋体２の嵌合形状１３に蓋体２０の嵌合形状１２が嵌め込まれて、蓋体２の嵌合形状１２及び１４の根元に蓋体２０の嵌合形状１２の膨らんだ部分が挟まれるように嵌合されており、嵌合を抜く場合は蓋体２及び２０の一方を固定して他方を図６の紙面に垂直な方向に移動させればよい。
【００１９】
図７は、蓋体２と同一形状の蓋体２０を中心軸線９中心に１８０度回転させてから、蓋体２の嵌合形状１５に蓋体２０の嵌合形状１２が嵌め込まれて、蓋体２の嵌合形状１４及び１６の根元に蓋体２０の嵌合形状１２の膨らんだ部分が挟まれるように嵌合されており、嵌合を抜く場合は蓋体２及び２０の一方を固定して他方を図７の紙面に垂直な方向に移動させればよい。
【００２０】
図８は、蓋体２と同一形状の蓋体２０を中心軸線９中心に１８０度回転させてから、蓋体２の嵌合形状１７に蓋体２０の嵌合形状１２が嵌め込まれて、蓋体２の嵌合形状１６及び１８の根元に蓋体２０の嵌合形状１２の膨らんだ部分が挟まれるように嵌合されており、嵌合を抜く場合は蓋体２及び２０の一方を固定して他方を図８の紙面に垂直な方向に移動させればよい。
【００２１】
図２から８において、蓋体２及び２０の筆記具本体１挿入方向の違いはそれぞれ約３０度、約９０度、約１５０度、約０度、約６０度、約１２０度、及び約１８０度である。
【００２２】
図２から８の嵌合形状の組み合わせ以外にも組み合わせは有り、また三個以上の蓋体を連結出来ることは当業者には明らかであるので記載は省略する。
【００２３】
〔その他の実施形態〕
第１実施形態において、嵌合部５の嵌合形状１４及び１５を削除する等によって蓋体２及び２０それぞれの中間部に嵌合部５を移動させた構成や、中間部から他端部にかけてさらに嵌合形状の増えた嵌合部５の構成が考えられる。
【図面の簡単な説明】
【００２４】
【図１】筆記具本体１が挿入された第１実施形態を第三角法で表す破断面図
【図２】第１実施形態の蓋体２及び２０の嵌合例その１
【図３】第１実施形態の蓋体２及び２０の嵌合例その２
【図４】第１実施形態の蓋体２及び２０の嵌合例その３
【図５】第１実施形態の蓋体２及び２０の嵌合例その４
【図６】第１実施形態の蓋体２及び２０の嵌合例その５
【図７】第１実施形態の蓋体２及び２０の嵌合例その６
【図８】第１実施形態の蓋体２及び２０の嵌合例その７
【符号の説明】
【００２５】
１.                                                    筆記具本体
２,２０.                              蓋体
３.                                                    端部
４.                                                    挿入口
５.                                                    嵌合部
６.                                                    筒状部
７,１０,１１,１２,１３,１４,
１５,１６,１７,１８.                       嵌合形状
８.                                                    ペン先
９.                                                    中心軸線
１９.                                                 当たり